(57)【特許請求の範囲】
【請求項１】
上下方向に長く上部に吸気口、下部前面に排気口を有し商品収納室の奥壁に設けられる庫内ダクトと、
左右両端に一対の側板を有し前記排気口の前方に前記排気口と対向して前記商品収納室の底壁に配置される冷却器と、
前記冷却器で冷却された冷気を送風するための送風ファンを設けた前面板と、前記冷却器の上方を覆うと共に前記冷却器の上面と当接する天板と、後端が前記冷却器の前記一対の側板の前面に当接する一対の側面板と、前記商品収納室の底壁に当接する底板とを有するファンダクトとからなり、
前記冷却器の前記一対の側板の後部に、前記庫内ダクトの前記排気口内に挿入され前記排気口の左右周縁と当接する左右位置決め部と、前記排気口の外周部前面に当接する後方向規制部を形成し、
前記ファンダクトの前記天板の後部に、前記庫内ダクトの前記排気口内に挿入され前記排気口の上周縁と当接する複数の突起部を設け、
前記ファンダクトの前記底板に、前記ファンダクトを前記商品収納室の底壁にビス止めするための取付け孔を設けたことを特徴とする自動販売機の冷却装置。
【請求項２】
冷却器の一対の側板の上部にファンダクトの天板に平行な天面折り曲げ部を形成し、前記ファンダクトの前記天板に前記天面折り曲げ部を保持する保持部を設けたことを特徴とする請求項１記載の自動販売機の冷却装置。
【請求項３】
庫内ダクトの排気口の上周縁に下方に突出する複数の爪を設けると共に、ファンダクトの天板後部の複数の突起部に前記爪と係合する角孔を形成したことを特徴とする請求項１記載の自動販売機の冷却装置。
【請求項４】
上下方向に長く上部に吸気口、下部前面に排気口を有し商品収納室の奥壁に設けられる庫内ダクトと、
左右両端に一対の側板を有し前記排気口の前方に前記排気口と対向して前記商品収納室の底壁に配置される冷却器と、
前記冷却器で冷却された冷気を送風するための送風ファンを設けた前面板と、前記冷却器の上方を覆うと共に前記冷却器の上面と当接する天板と、後端が前記冷却器の前記一対の側板の前面に当接する一対の側面板と、前記商品収納室の底壁に当接する底板とを有するファンダクトとからなり、
前記冷却器の前記一対の側板の後部に、前記庫内ダクトの前記排気口内に挿入され前記排気口の左右周縁と当接する左右位置決め部と、前記排気口の外周部前面に当接する後方向規制部を形成し、
前記庫内ダクトの前記排気口の上周縁に前方に突出し、前記冷却器の上面と前記ファンダクトの前記天板の後部の下面とに当接する上部折り曲げ部を設け、
前記ファンダクトの前記底板に、前記ファンダクトを前記商品収納室の底壁にビス止めするための取付け孔を設けたことを特徴とする自動販売機の冷却装置。
【請求項５】
庫内ダクトの排気口の上周縁の上部折り曲げ部の上部に複数の角孔を設けると共に、ファンダクトの天板の後部に前記角孔と係合する複数の突起部を設けたことを特徴とする請求項４記載の自動販売機の冷却装置。
【請求項６】
上下方向に長く上部に吸気口、下部前面に排気口を有し商品収納室の奥壁に設けられる庫内ダクトと、
左右両端に一対の側板を有し前記排気口の前方に前記排気口と対向して前記商品収納室の底壁に配置される冷却器と、
前記冷却器で冷却された冷気を送風するための送風ファンを設けた前面板と、前記冷却器の上方を覆うと共に前記冷却器の上面と当接する天板と、後端が前記冷却器の前記一対の側板の前面に当接する一対の側面板と、前記商品収納室の底壁に当接する底板とを有するファンダクトとからなり、
前記冷却器の前記一対の側板の後部に、前記庫内ダクトの前記排気口の外周部前面に当接する後方向規制部を形成し、
前記ファンダクトの前記天板の後部に、前記庫内ダクトの前記排気口内に挿入され前記排気口の上周縁と当接する複数の突起部を設け、
前記ファンダクトの前記底板に、前記ファンダクトを前記商品収納室の底壁にビス止めするための取付け孔を設け、
前記ファンダクトの前記側面板が、前記冷却器の左右側面の少なくとも一部を覆うと共に、前記冷却器の前記一対の側板に外側から当接することを特徴とする自動販売機の冷却装置。
【発明の詳細な説明】
【０００１】
【発明の属する技術分野】
本発明は、商品収納室を冷却する自動販売機の冷却装置に関するものである。
【０００２】
【従来の技術】
近年、自動販売機の冷却装置は、商品を冷却すべく商品収納庫内を循環する循環エアーの経路の一部に庫内ダクトや冷却器を配設した冷却装置になってきている。
【０００３】
従来の、自動販売機の冷却装置は、特開平９−１４７２１１号公報に開示されている。
【０００４】
以下、図面を参照しながら上記従来の自動販売機の冷却装置を説明する。
【０００５】
図１９は、従来の自動販売機の冷却装置の縦断面図であり、図２０は、従来の自動販売機の冷却装置の分解斜視図である。
【０００６】
図１９、図２０において、１は前面を開口した箱状の自動販売機の本体であり、庫内に商品収納室２が設けられている。３は、本体１の前面開口部を開閉する前面扉であり、４は、前面扉の内側に開閉自在に設けられる商品収納室２の内側扉である。５は、商品を収納する商品収納棚であり商品収納室２の内部に位置している。２２は、上下方向に長く上部に吸気口２２ａ、下部前面に排気口２２ｂを有し商品収納室２の奥壁に設けられる庫内ダクトである。２３は、左右両端に一対の側板２３ａを有し排気口２２ｂの前方に排気口２２ｂと対向して商品収納室２２の底壁に配置される冷却器である。２３ｂは、冷却器２３の一対の側板２３ａの後部に、庫内ダクト２２の排気口２２ｂの外周部前面に当接する後方向規制部である。
【０００７】
２４は、ファンダクトであり、冷却器２３で冷却された冷気を送風するための送風ファン２５を設けた前面板２４ａと、冷却器２３の上方を覆うと共に冷却器２３の上面と当接する天板２４ｂと、後端が冷却器２３の一対の側板２３ａの前面に当接する一対の側面板２４ｃとからなる。２４ｄは、冷却器２３の一対の側板２３ａの後部に、庫内ダクト２２の排気口２２ｂの上周縁と当接するファンダクト２４の背面折り曲げ部である。冷却器２３は、後方規制部２３ｂで、ファンダクト２４は、背面折り曲げ部２４ｄで、庫内ダクト２２にビスにて取付けられている。
【０００８】
【発明が解決しようとする課題】
しかしながら、上記従来の構成では、庫内ダクト２２に冷却器２３とファンダクト２４を固定する際、ビスをそれぞれ少なくとも２個必要になり組立て作業が面倒であり組立て性更にはメンテナンスの点でも不利なものになっているといった課題を有していた。
【０００９】
本発明は従来の課題を解決するもので、１箇所のビス止めで確実に庫内ダクトに冷却器やファンダクトを固定することができ、組立て及びメンテナンスが容易な自動販売機の冷却装置を提供することを目的とする。
【００１０】
【課題を解決するための手段】
本発明の請求項１に記載の発明は、上下方向に長く上部に吸気口、下部前面に排気口を有し商品収納室の奥壁に設けられる庫内ダクトと、左右両端に一対の側板を有し前記排気口の前方に前記排気口と対向して前記商品収納室の底壁に配置される冷却器と、前記冷却器で冷却された冷気を送風するための送風ファンを設けた前面板と、前記冷却器の上方を覆うと共に前記冷却器の上面と当接する天板と、後端が前記冷却器の前記一対の側板の前面に当接する一対の側面板と、前記商品収納室の底壁に当接する底板とを有するファンダクトとからなり、前記冷却器の前記一対の側板の後部に、前記庫内ダクトの前記排気口内に挿入され前記排気口の左右周縁と当接する左右位置決め部と、前記排気口の外周部前面に当接する後方向規制部を形成し、前記ファンダクトの前記天板の後部に、前記庫内ダクトの前記排気口内に挿入され前記排気口の上周縁と当接する複数の突起部を設け、前記ファンダクトの前記底板に、前記ファンダクトを前記商品収納室の底壁にビス止めするための取付け孔を設けたものであり、排気口の前方に排気口と対向して商品収納室の底壁に配置された冷却器は、庫内ダクトの排気口内に挿入され排気口の左右周縁と当接する左右位置決め部により左右方向への移動が妨げられ、庫内ダクトの排気口の外周部前面に当接する後方向規制部により後方向への移動が妨げられ、後端が冷却器の一対の側板の前面に当接するファンダクトの一対の側面板により前方向への移動が妨げられ、庫内ダクトの排気口内に挿入され排気口の上周縁と当接する複数の突起部を有するファンダクトの天板により上方向への移動が妨げられる。
【００１１】
また、ファンダクトは、底板の取付け孔をビス止めすることにより固定される。これにより１箇所のビス止めで確実に庫内ダクトに冷却器やファンダクトを固定することができるという作用を有する。
【００１２】
請求項２に記載の発明は、請求項１に記載の発明に加えて、冷却器の一対の側板の上部にファンダクトの天板に平行な天面折り曲げ部を形成し、前記ファンダクトの前記天板に前記天面折り曲げ部を保持する保持部を設けたものであり、前記保持部により前記冷却器と前記ファンダクトの前記天板を上下方向に保持がされるため、前記ファンダクトの前記天板の補強となり、自動販売機の輸送時における上下震動に耐えることができる。これにより１箇所のビス止めで確実に庫内ダクトに冷却器やファンダクトを固定することができ、自動販売機の輸送時に発生する不具合を防止することができるという作用を有する。
【００１３】
請求項３に記載の発明は、請求項１に記載の発明に加えて、庫内ダクトの排気口の上周縁に下方に突出する複数の爪を設けると共に、ファンダクトの天板後部の複数の突起部に前記爪と係合する角孔を形成したものであり、前記庫内ダクトの排気口の上周縁に下方に突出する複数の爪が前記ファンダクトの天板後部の複数の突起部に係合することにより、前記庫内ダクトと前記ファンダクト及び前記冷却器の前後方向の固定がより確実にでき、１箇所のビス止めで確実に庫内ダクトに冷却器やファンダクトを固定することができ、組立てバラツキによって発生する前記庫内ダクトと前記ファンダクト及び前記冷却器の前後方向の隙間による冷却性能への悪影響を防止することができるという作用を有する。
【００１４】
請求項４に記載の発明は、上下方向に長く上部に吸気口、下部前面に排気口を有し商品収納室の奥壁に設けられる庫内ダクトと、左右両端に一対の側板を有し前記排気口の前方に前記排気口と対向して前記商品収納室の底壁に配置される冷却器と、前記冷却器で冷却された冷気を送風するための送風ファンを設けた前面板と、前記冷却器の上方を覆うと共に前記冷却器の上面と当接する天板と、後端が前記冷却器の前記一対の側板の前面に当接する一対の側面板と、前記商品収納室の底壁に当接する底板とを有するファンダクトとからなり、前記冷却器の前記一対の側板の後部に、前記庫内ダクトの前記排気口内に挿入され前記排気口の左右周縁と当接する左右位置決め部と、前記排気口の外周部前面に当接する後方向規制部を形成し、前記庫内ダクトの前記排気口の上周縁に前方に突出し、前記冷却器の上面と前記ファンダクトの前記天板の後部の下面とに当接する上部折り曲げ部を設け、前記ファンダクトの前記底板に、前記ファンダクトを前記商品収納室の底壁にビス止めするための取付け孔を設けたものであり、排気口の前方に排気口と対向して商品収納室の底壁に配置された冷却器は、庫内ダクトの排気口内に挿入され排気口の左右周縁と当接する左右位置決め部により左右方向への移動が妨げられ、庫内ダクトの排気口の外周部前面に当接する後方向規制部により後方向への移動が妨げられ、後端が冷却器の一対の側板の前面に当接するファンダクトの一対の側面板により前方向への移動が妨げられ、前記庫内ダクトの前記排気口の上周縁に前方に突出し、前記冷却器の上面と前記ファンダクトの前記天板の後部の下面とに当接する上部折り曲げ部により上方向への移動が妨げられる。
【００１５】
また、ファンダクトは、底板の取付け孔をビス止めすることにより固定される。これにより１箇所のビス止めで確実に庫内ダクトに冷却器やファンダクトを固定することができるという作用と、組立てバラツキによって発生する前記庫内ダクトの変形によって、前記送風ファンの風量が減少して起こる冷却性能への悪影響を防止することができるという作用を有する。
【００１６】
請求項５に記載の発明は、請求項４に記載の発明に加えて、庫内ダクトの排気口の上周縁の上部折り曲げ部の上部に複数の角孔を設けると共に、ファンダクトの天板の後部に前記角孔と係合する複数の突起部を設けたものであり、前記ファンダクトの前記突起部を前記庫内ダクトの前記上部折り曲げ部の前記角孔に係合させることにより、組立てバラツキによって発生する前記ファンダクトの前記天板の変形をなくすことができ、前記ファンダクトの前記天板と前記冷却器との隙間ができるため発生する前記送風ファンのショートサーキットによる冷却性能への悪影響を防止することができるという作用を有する。
【００１７】
請求項６に記載の発明は、上下方向に長く上部に吸気口、下部前面に排気口を有し商品収納室の奥壁に設けられる庫内ダクトと、左右両端に一対の側板を有し前記排気口の前方に前記排気口と対向して前記商品収納室の底壁に配置される冷却器と、前記冷却器で冷却された冷気を送風するための送風ファンを設けた前面板と、前記冷却器の上方を覆うと共に前記冷却器の上面と当接する天板と、後端が前記冷却器の前記一対の側板の前面に当接する一対の側面板と、前記商品収納室の底壁に当接する底板とを有するファンダクトとからなり、前記冷却器の前記一対の側板の後部に、前記庫内ダクトの前記排気口の外周部前面に当接する後方向規制部を形成し、前記ファンダクトの前記天板の後部に、前記庫内ダクトの前記排気口内に挿入され前記排気口の上周縁と当接する複数の突起部を設け、前記ファンダクトの前記底板に、前記ファンダクトを前記商品収納室の底壁にビス止めするための取付け孔を設けたものであり、前記排気口の前方に前記排気口と対向して前記商品収納室の底壁に配置された前記冷却器は、前記庫内ダクトの前記排気口の外周部前面に当接する後方向規制部により後方への移動が妨げられ、前記ファンダクトの前記側面板が、前記冷却器の左右側面の少なくとも一部を覆うと共に、前記冷却器の前記一対の側板に外側から当接することにより、前記冷却器の左右方向への移動が妨げられる。
【００１８】
また、ファンダクトは、底板の取付け孔をビス止めすることにより固定される。これにより１箇所のビス止めで確実に庫内ダクトに冷却器やファンダクトを固定することができる。また、前記冷却器の組立てが前記ファンダクトの案内で容易に行うことができるという作用を有する。
【００１９】
【発明の実施の形態】
以下、本発明による自動販売機の冷却装置の実施形態について、図面を参照しながら説明する。なお、従来と同一構成については同一符号を付して詳細な説明を省略する。
【００２０】
（実施の形態１）
図１は、本発明の実施の形態１による自動販売機の冷却装置の分解斜視図である。図２は、同実施の形態の自動販売機の冷却装置の斜視図である。図３は、同実施の形態の自動販売機の冷却装置の要部断面図である。
【００２１】
図１、図２、図３において、６は、上下方向に長く上部に吸気口６ａ、下部前面に排気口６ｂを有し商品収納室２の奥壁に設けられる庫内ダクトである。
【００２２】
７は、左右両端に一対の側板７ａを有し排気口６ｂの前方に排気口６ｂと対向して商品収納室２の底壁に配置される冷却器であり、冷却器７の一対の側板７ａの後部に、庫内ダクト６の排気口６ｂ内に挿入され排気口６ｂの左右周縁と当接する左右位置決め部７ｂと、排気口６ｂの外周部前面に当接する後方向規制部７ｃを形成されている。なお、後方規制部７ｃは、側板７ａの後部の上側に形成され、左右位置決め部７ｂは、側板７ａの後部の下側に形成されている。
【００２３】
８は、冷却器７で冷却された冷気を送風するための送風ファン９を設けた前面板８ａと、冷却器７の上方を覆うと共に冷却器７の上面と当接する天板８ｂと、後端が冷却器７の一対の側板７ａの前面に当接する一対の側面板８ｃと、商品収納室２の底壁に当接する底板８ｄとを有するファンダクトであり、ファンダクト８の天板８ｂの後部に、庫内ダクト６の排気口６ｂ内に挿入され排気口６ｂの上周縁と当接する複数の突起部８ｅを設け、ファンダクト８の底板８ｄに、ファンダクト８を商品収納室２の底壁にビス止めするための取付け孔８ｆを設けたものである。
【００２４】
なお、左の突起部８ｅは、排気口6ｂの左周縁に当接させ、右の突起部８ｅは、天板８ｂの後部の右端よりも少し中央寄りに設け、排気口６ｂの右周縁に当接させている。
【００２５】
以上のように構成された自動販売機の冷却装置について、以下その動作を説明する。
【００２６】
まず、商品収納室２には、矢印のように商品収納室２内部を循環する空気の流れがあり、冷却器７で冷却された空気をファン９にて送風されて商品収納棚５の内部に収納されている商品を冷却する。
【００２７】
以上のように本実施の形態の自動販売機の冷却装置は、排気口６ｂの前方に排気口６ｂと対向して商品収納室２の底壁に配置された冷却器７は、庫内ダクト６の排気口６ｂ内に挿入され排気口６ｂの左右周縁と当接する左右位置決め部７ｂにより左右方向への移動が妨げられ、庫内ダクト６の排気口６ｂの外周部前面に当接する後方向規制部７ｃにより後方向への移動が妨げられ、後端が冷却器７の一対の側板７ａの前面に当接するファンダクト８の一対の側面板８ｃにより前方向への移動が妨げられ、庫内ダクト６の排気口６ｂ内に挿入され排気口６ｂの上周縁と当接する複数の突起部８ｅを有するファンダクト８の天板８ｂにより上方向への移動が妨げられる。また、ファンダクト８は、底板８ｄの取付け孔８ｆをビス止めすることにより固定される。これにより１箇所のビス止めで確実に庫内ダクト６に冷却器７やファンダクト８を固定することができるという作用を有する。
【００２８】
また、底板８ｄの取付け孔８ｆをビス止め時に発生するファンダクト８回転方向への移動は、複数の突起部８ｅが庫内ダクト６の排気口６ｂ内に挿入され排気口６ｂの左右周縁と当接するため規制される。
【００２９】
（実施の形態２）
図４は、本発明の実施の形態２による自動販売機の冷却装置の分解斜視図である。図５は、同実施の形態の自動販売機の冷却装置の斜視図である。図６は、同実施の形態の自動販売機の冷却装置の要部断面図である。なお、実施の形態1と同一構成については同一符号を付してその詳細な説明は省略する。
【００３０】
図４、図５、図６において、１０は、左右両端に一対の側板１０ａを有し排気口６ｂの前方に排気口６ｂと対向して商品収納室２の底壁に配置される冷却器であり、冷却器１０の一対の側板１０ａの後部に、庫内ダクト６の排気口６ｂ内に挿入され排気口６ｂの左右周縁と当接する左右位置決め部１０ｂと、排気口６ｂの外周部前面に当接する後方向規制部１０ｃを形成されている。
【００３１】
１１は、冷却器１０で冷却された冷気を送風するための送風ファン９を設けた前面板１１ａと、冷却器１０の上方を覆うと共に冷却器１０の上面と当接する天板１１ｂと、後端が冷却器１０の一対の側板１０ａの前面に当接する一対の側面板１１ｃと、商品収納室２の底壁に当接する底板１１ｄとを有するファンダクトであり、ファンダクト１１の天板１１ｂの後部に、庫内ダクト６の排気口６ｂ内に挿入され排気口６ｂの上周縁と当接する複数の突起部１１ｅを設け、ファンダクト１１の底板１１ｄに、ファンダクト１１を商品収納室２の底壁にビス止めするための取付け孔１１ｆを設けたものである。
【００３２】
１０ｄは、冷却器１０の一対の側板１０ａの上部にファンダクト１１の天板に平行な天面折り曲げ部である。１１ｇは、ファンダクト１１の天板１１ｂに天面折り曲げ部１０ｄを保持する保持部であり、天面折り曲げ部１０ｄを挟み込むＺ曲げ形状をしている。
【００３３】
以上のように本実施の形態の自動販売機の冷却装置は、実施の形態１の構成に加えて、ファンダクト８の天板１１ｂに冷却機１０の一対の側板１０ａの上部に設けた天面折り曲げ部１０ｄを保持する保持部１１ｇを設けたものであり、保持部１１ｇにより冷却器１０とファンダクト８の天板１１ｂを上下方向に保持がされるため、ファンダクト１１の天板１１ｂの補強となり、自動販売機の輸送時における上下震動に耐えることができる。これにより１箇所のビス止めで確実に庫内ダクト６に冷却器１０やファンダクト１１を固定することができ、自動販売機の輸送時に発生する不具合を防止することができる。
【００３４】
（実施の形態３）
図７は、本発明の実施の形態３による自動販売機の冷却装置の分解斜視図である。図８は、同実施の形態の自動販売機の冷却装置の斜視図である。図９は、同実施の形態の自動販売機の冷却装置の要部断面図である。なお、実施の形態1と同一構成については同一符号を付してその詳細な説明は省略する。
【００３５】
図７、図８、図９、において、１２は、上下方向に長く上部に吸気口１２ａ、下部前面に排気口１２ｂを有し商品収納室２の奥壁に設けられる庫内ダクトであり、庫内ダクト１２の排気口１２ｂの上周縁に下方に突出する複数の爪１２ｃを設けられている。
【００３６】
１３は、冷却器７で冷却された冷気を送風するための送風ファン９を設けた前面板１３ａと、冷却器７の上方を覆うと共に冷却器７の上面と当接する天板１３ｂと、後端が冷却器７の一対の側板７ａの前面に当接する一対の側面板１３ｃと、商品収納室２の底壁に当接する底板１３ｄとを有するファンダクトであり、ファンダクト１３の天板１３ｂの後部に、庫内ダクト１２の排気口１２ｂ内に挿入され排気口１２ｂの上周縁と当接する複数の突起部１３ｅと、突起部１３ｅに爪１２ｃと係合する角孔１３ｇと、ファンダクト１３の底板１３ｄに、ファンダクト１３を商品収納室２の底壁にビス止めするための取付け孔１３ｆとを設けたものである。
【００３７】
以上のように構成された自動販売機の冷却装置について、以下その動作を説明する。
【００３８】
まず、商品収納室２には、矢印のように商品収納室２内部を循環する空気の流れがあり、冷却器７で冷却された空気をファン９にて送風されて商品収納棚５の内部に収納されている商品を冷却する。
【００３９】
また、本実施の形態の自動販売機の冷却装置の組立て手順は、庫内ダクト１２の排気口１２ｂの左右周縁に冷却器７の側板７ａの左右位置決め部７ｂを挿入し、ファンダクト１３の前面を上方に持ち上げ、突起部１３ｅを爪１２ｃの下方に挿入してから矢印の方向にファンダクト１３の前面を下方にさげ庫内ダクト１２の爪１２ｃをファンダクト１３の角孔１３ｇに係合させて行なう。
【００４０】
なおファンダクト１３の天板１３ｂの突起部１３ｅを爪１２ｃの下方に挿入するにおいて、天板１３ｂの両端後方に冷却器７の一対の側板７ａに当接しない切欠き部１３ｈを設けると共に、冷却器７の一対の側板７ａ間の後方の隙間を大きくすれば作業性がさらに向上する。
【００４１】
以上のように本実施の形態の自動販売機の冷却装置は、ファンダクト１３の突起部１３ｂが庫内ダクト１２の爪１２ｃに係合することにより庫内ダクト１２とファンダクト１３及び冷却器７の前後方向の固定がより確実になり１箇所のビス止めで確実に庫内ダクトに冷却器やファンダクトを固定することができ、組立てバラツキによって発生する前記庫内ダクトとファンダクト及び冷却器の前後方向の隙間による冷却性能への悪影響を防止することができる。
【００４２】
（実施の形態４）
図１０は、本発明の実施の形態４による自動販売機の冷却装置の分解斜視図である。図１１は、同実施の形態の自動販売機の冷却装置の斜視図である。図１２は、同実施の形態の自動販売機の冷却装置の要部断面図である。
【００４３】
図１０、図１１、図１２において、１４は、上下方向に長く上部に吸気口１４ａ、下部前面に排気口１４ｂを有し商品収納室２の奥壁に設けられる庫内ダクトである。１５は、  左右両端に一対の側板１５ａを有し排気口１４ｂの前方に排気口１４ｂと対向して商品収納室２の底壁に配置される冷却器であり、冷却器１４の一対の側板１４ａの後部に、庫内ダクト１４の排気口１４ｂ内に挿入され排気口１４ｂの左右周縁と当接する左右位置決め部１５ｂと、排気口１４ｂの外周部前面に当接する後方向規制部１５ｃを形成されている。
【００４４】
１６は、冷却器１５で冷却された冷気を送風するための送風ファン１７を設けた前面板１６ａと、冷却器１５の上方を覆うと共に冷却器１５の上面と当接する天板１６ｂと、後端が冷却器１５の一対の側板１５ａの前面に当接する一対の側面板１６ｃと、天板１６ｂの後部に位置し上部に折り曲げられた背面折り曲げ部１６ｅと、商品収納室２の底壁に当接する底板１６ｄとを有するファンダクトであり、ファンダクトの前記底板１６ｄに、ファンダクト１６を商品収納室２の底壁にビス止めするための取付け孔８ｆとを設けたものである。
【００４５】
１４ｃは、庫内ダクト１４の排気口１４ｂの上周縁に前方に突出し、冷却器１５の上面とファンダクト１６の天板１６ｂの後部の下面とに当接する上部折り曲げ部である。
【００４６】
以上のように本実施の形態の自動販売機の冷却装置は、 排気口１４ｂの前方に排気口１４ｂと対向して商品収納室２の底壁に配置された冷却器１５は、庫内ダクト１４の排気口１４ｂ内に挿入され排気口１４ｂの左右周縁と当接する左右位置決め部１５ｂにより左右方向への移動が妨げられ、庫内ダクト１４の排気口１４ｂの外周部前面に当接する後方向規制部１５ｃにより後方向への移動が妨げられ、後端が冷却器１５の一対の側板１５ａの前面に当接するファンダクト１６の一対の側面板１６ｃにより前方向への移動が妨げられ、庫内ダクト１４の排気口１４ｂの上周縁に前方に突出し、冷却器１５の上面とファンダクト１６の天板１６ｂの後部の下面とに当接する上部折り曲げ部１４ｃにより上方向への移動が妨げられる。また、ファンダクト１６は、底板の取付け孔１６ｆをビス止めすることにより固定される。これにより１箇所のビス止めで確実に庫内ダクト１４に冷却器１５やファンダクト１６を固定することができるという作用と、組立てバラツキによって発生する庫内ダクト１４の変形によって、前記送風ファンの風量が減少して起こる冷却性能への悪影響を防止することができる。
【００４７】
（実施の形態５）
図１３は、本発明の実施の形態５による自動販売機の冷却装置の分解斜視図である。図１４は、同実施の形態の自動販売機の冷却装置の斜視図である。図１５は、同実施の形態の自動販売機の冷却装置の要部断面図である。なお、実施の形態４と同一構成については同一符号を付してその詳細な説明は省略する。
【００４８】
図１３、図１４、図１５において、１８は、上下方向に長く上部に吸気口１８ａ、下部前面に排気口１８ｂを有し商品収納室２の奥壁に設けられる庫内ダクトである。１９は、冷却器１５で冷却された冷気を送風するための送風ファン１７を設けた前面板１９ａと、冷却器１５の上方を覆うと共に冷却器１５の上面と当接する天板１９ｂと、後端が冷却器１５の一対の側板１５ａの前面に当接する一対の側面板１９ｃと、ファンダクト１９の天板１９ｂの後部に、任意の位置に設けられた複数の突起部１９ｅと、商品収納室２の底壁に当接する底板１９ｄとを有するファンダクトであり、ファンダクトの前記底板１９ｄに、ファンダクト１９を商品収納室２の底壁にビス止めするための取付け孔１９ｆとを設けたものである。
【００４９】
１８ｃは、庫内ダクト１８の排気口１８ｂの上周縁に前方に突出し、冷却器１５の上面とファンダクト１９の天板１９ｂの後部の下面とに当接する上部折り曲げ部であり、突起部１９ｅと係合する複数個の角孔１８ｄを前記上部折り曲げ部１８ｃの上部に設けている。
【００５０】
以上のように本実施の形態の自動販売機の冷却装置は、ファンダクト１９の突起部１９ｅを庫内ダクト１８の上部折り曲げ部１８ｃの角孔１８ｄに係合させることにより、組立てバラツキによって発生するファンダクト１９の天板１９ｂの変形をなくすことができ、ファンダクト１９の天板１９ｂと冷却器１５との隙間ができるため発生する送風ファン１７のショートサーキットによる冷却性能への悪影響を防止することができる。
【００５１】
（実施の形態６）
図１６は、本発明の実施の形態６による自動販売機の冷却装置の分解斜視図である。図１７は、同実施の形態の自動販売機の冷却装置の斜視図である。図１８は、同実施の形態の自動販売機の冷却装置の要部断面図である。なお、実施の形態1と同一構成については同一符号を付してその詳細な説明は省略する。
【００５２】
図１６、図１７、図１８において、２０は、左右両端に一対の側板２０ａを有し排気口６ｂの前方に排気口６ｂと対向して商品収納室２の底壁に配置される冷却器であり、冷却器２０の一対の側板２０ａの後部に、排気口６ｂの外周部前面に当接する後方向規制部２０ｂを形成されている。
【００５３】
２１ は、冷却器２０で冷却された冷気を送風するための送風ファン９を設けた前面板２１ａと、冷却器２０の上方を覆うと共に冷却器２０の上面と当接する天板２０ｂと、冷却器２０の左右側面の少なくとも一部を覆うと共に、冷却器２０の一対の側板２０ａに外側から当接する側面板２１ｃと、商品収納室２の底壁に当接する底板２１ｄとを有するファンダクトであり、ファンダクト２１の天板２１ｂの後部に、庫内ダクト６の排気口６ｂ内に挿入され排気口６ｂの上周縁と当接する複数の突起部２１ｅを設け、ファンダクト２１の底板８ｄに、ファンダクト２１を商品収納室２の底壁にビス止めするための取付け孔２１ｆを設けたものである。
【００５４】
以上のように本実施の形態の自動販売機の冷却装置は、ファンダクト２１の底板２１ｄに設けられた取付け穴２１ｆを固定することにより冷却器２０及びファンダクト２１が、冷却器２０の左右方向への移動が妨げられ、冷却器２０の組立てがファンダクト２１の案内で容易に行うことができる。
【００５５】
【発明の効果】
以上説明したように請求項１に記載の発明は、排気口の前方に排気口と対向して商品収納室の底壁に配置された冷却器は、庫内ダクトの排気口内に挿入され排気口の左右周縁と当接する左右位置決め部により左右方向への移動が妨げられ、庫内ダクトの排気口の外周部前面に当接する後方向規制部により後方向への移動が妨げられ、後端が冷却器の一対の側板の前面に当接するファンダクトの一対の側面板により前方向への移動が妨げられ、庫内ダクトの排気口内に挿入され排気口の上周縁と当接する複数の突起部を有するファンダクトの天板により上方向への移動が妨げられる。また、ファンダクトは、底板の取付け孔をビス止めすることにより固定される。これにより１箇所のビス止めで確実に庫内ダクトに冷却器やファンダクトを固定することができる。
【００５６】
また、請求項２に記載の発明は、請求項１に記載の発明に加えて、持部により前記冷却器と前記ファンダクトの前記天板を上下方向に保持がされるため、前記ファンダクトの前記天板の補強となり、自動販売機の輸送時における上下震動に耐えることができる。これにより１箇所のビス止めで確実に庫内ダクトに冷却器やファンダクトを固定することができ、自動販売機の輸送時に発生する不具合を防止することができる。
【００５７】
また、請求項３に記載の発明は、請求項１に記載の発明に加えて、前記庫内ダクトの排気口の上周縁に下方に突出する複数の爪が前記ファンダクトの天板後部の複数の突起部に係合することにより、前記庫内ダクトと前記ファンダクト及び前記冷却器の前後方向の固定がより確実にでき、１箇所のビス止めで確実に庫内ダクトに冷却器やファンダクトを固定することができ、組立てバラツキによって発生する前記庫内ダクトと前記ファンダクト及び前記冷却器の前後方向の隙間による冷却性能への悪影響を防止することができる。
【００５８】
また、請求項４に記載の発明は、排気口の前方に排気口と対向して商品収納室の底壁に配置された冷却器は、庫内ダクトの排気口内に挿入され排気口の左右周縁と当接する左右位置決め部により左右方向への移動が妨げられ、庫内ダクトの排気口の外周部前面に当接する後方向規制部により後方向への移動が妨げられ、後端が冷却器の一対の側板の前面に当接するファンダクトの一対の側面板により前方向への移動が妨げられ、前記庫内ダクトの前記排気口の上周縁に前方に突出し、前記冷却器の上面と前記ファンダクトの前記天板の後部の下面とに当接する上部折り曲げ部により上方向への移動が妨げられる。また、ファンダクトは、底板の取付け孔をビス止めすることにより固定される。これにより１箇所のビス止めで確実に庫内ダクトに冷却器やファンダクトを固定することができる。また、組立てバラツキによって発生する前記庫内ダクトの変形によって、前記送風ファンの風量が減少して起こる冷却性能への悪影響を防止することができる。
【００５９】
また、請求項５に記載の発明は、請求項４に記載の発明に加えて、排気口の前方に排気口と対向して商品収納室の底壁に配置された冷却器は、庫内ダクトの排気口内に挿入され排気口の左右周縁と当接する左右位置決め部により左右方向への移動が妨げられ、庫内ダクトの排気口の外周部前面に当接する後方向規制部により後方向への移動が妨げられ、後端が冷却器の一対の側板の前面に当接するファンダクトの一対の側面板により前方向への移動が妨げられ、前記庫内ダクトの前記排気口の上周縁に前方に突出し、前記冷却器の上面と前記ファンダクトの前記天板の後部の下面とに当接する上部折り曲げ部により上方向への移動が妨げられる。また、ファンダクトは、底板の取付け孔をビス止めすることにより固定される。これにより１箇所のビス止めで確実に庫内ダクトに冷却器やファンダクトを固定することができる。また、組立てバラツキによって発生する前記庫内ダクトの変形によって、前記送風ファンの風量が減少して起こる冷却性能への悪影響を防止することができる。
【００６０】
また、請求項６に記載の発明は、排気口の前方に前記排気口と対向して商品収納室の底壁に配置された冷却器は、庫内ダクトの前記排気口の外周部前面に当接する後方向規制部により後方への移動が妨げられ、ファンダクトの側面板が、前記冷却器の左右側面の少なくとも一部を覆うと共に、前記冷却器の一対の側板に外側から当接することにより、前記冷却器の左右方向への移動が妨げられる。また、ファンダクトは、底板の取付け孔をビス止めすることにより固定される。これにより１箇所のビス止めで確実に庫内ダクトに冷却器やファンダクトを固定することができる。また、前記冷却器の組立てが前記ファンダクトの案内で容易に行うことができる
【図面の簡単な説明】
【図１】本発明による自動販売機の冷却装置の実施の形態１の分解斜視図
【図２】同実施の形態の自動販売機の冷却装置の実施の形態１の斜視図
【図３】同実施の形態の自動販売機の冷却装置の実施の形態１の要部断面図
【図４】本発明による自動販売機の冷却装置の実施の形態２の分解斜視図
【図５】同実施の形態の自動販売機の冷却装置の実施の形態２の斜視図
【図６】同実施の形態の自動販売機の冷却装置の実施の形態２の要部断面図
【図７】本発明による自動販売機の冷却装置の実施の形態３の分解斜視図
【図８】同実施の形態の自動販売機の冷却装置の実施の形態３の斜視図
【図９】同実施の形態の自動販売機の冷却装置の実施の形態３の要部断面図
【図１０】本発明による自動販売機の冷却装置の実施の形態４の分解斜視図
【図１１】同実施の形態の自動販売機の冷却装置の実施の形態４の斜視図
【図１２】同実施の形態の自動販売機の冷却装置の実施の形態４の要部断面図
【図１３】本発明による自動販売機の冷却装置の実施の形態５の分解斜視図
【図１４】同実施の形態の自動販売機の冷却装置の実施の形態５の斜視図
【図１５】同実施の形態の自動販売機の冷却装置の実施の形態５の要部断面図
【図１６】本発明による自動販売機の冷却装置の実施の形態６の分解斜視図
【図１７】同実施の形態の自動販売機の冷却装置の実施の形態６の斜視図
【図１８】同実施の形態の自動販売機の冷却装置の実施の形態６の要部断面図
【図１９】従来の自動販売機の冷却装置の断面図
【図２０】従来の自動販売機の冷却装置の斜視図
【符号の説明】
６      庫内ダクト
６ａ    吸気口
６ｂ    排気口
７      冷却器
７ａ    側板
７ｂ    左右位置決め部
７ｃ    後方規制部
８      ファンダクト
８ａ    前面板
８ｂ    天板
８ｃ    側面板
８ｄ    底板
８ｅ    突起部
８ｆ    孔
９      送風ファン
１０ｄ  天面折り曲げ部
１１ｇ  保持部
１２ｃ  爪
１３ｅ  突起部
１３ｇ  角孔
１４    庫内ダクト
１４ａ  吸気口
１４ｂ  排気口
１４ｃ  上部折り曲げ部
１５    冷却器
１５ａ  側板
１５ｂ  左右位置決め部
１５ｃ  後方規制部
１６    ファンダクト
１６ａ  前面板
１６ｂ  天板
１６ｃ  側面板
１６ｄ  底板
１６ｆ  孔
１７    送風ファン
１８ｃ  上部折り曲げ部
１８ｄ  角孔
１９ｂ  天板
１９ｅ  突起部
２０ａ  側板
２１    側面板
【図１】
0004465858.tif 000002
【図２】
0004465858.tif 000003
【図３】
0004465858.tif 000004
【図４】
0004465858.tif 000005
【図５】
0004465858.tif 000006
【図６】
0004465858.tif 000007
【図７】
0004465858.tif 000008
【図８】
0004465858.tif 000009
【図９】
0004465858.tif 000010
【図１０】
0004465858.tif 000011
【図１１】
0004465858.tif 000012
【図１２】
0004465858.tif 000013
【図１３】
0004465858.tif 000014
【図１４】
0004465858.tif 000015
【図１５】
0004465858.tif 000016
【図１６】
0004465858.tif 000017
【図１７】
0004465858.tif 000018
【図１８】
0004465858.tif 000019
【図１９】
0004465858.tif 000020
【図２０】
0004465858.tif 000021